(57)【要約】【課題】重要な相手からの録音メッセージを素早く選択することが可能な電話装置及び表示方法を提供する。【解決手段】電話番号を登録する登録手段と、留守中の着信に対して、当該着信の発信先電話番号が登録手段に登録されている電話番号かどうかを照合する照合手段と、複数の数字ボタンを備えており、電話番号の入力を受けるダイヤルキーと、登録手段に登録されている番号との照合が照合手段により取れた発信先からの着信と複数の数字ボタンのうちの１つの数字ボタンとを関連付ける関連付け手段と、複数の数字ボタンそれぞれを点灯する点灯手段と、を有し、点灯手段は、着信に関連付けられた数字ボタンを点灯する。【選択図】図５
2011160093.tif 000002
【特許請求の範囲】
【請求項１】
電話番号を登録する登録手段と、
留守中の着信に対して、当該着信の発信先電話番号が前記登録手段に登録されている電話番号かどうかを照合する照合手段と、
複数の数字ボタンを備えており、電話番号の入力を受けるダイヤルキーと、
前記登録手段に登録されている番号との照合が前記照合手段により取れた発信先からの着信と前記複数の数字ボタンのうちの１つの数字ボタンとを関連付ける関連付け手段と、
前記複数の数字ボタンそれぞれを点灯する点灯手段と、を有し、
前記点灯手段は、前記着信に関連付けられた数字ボタンを点灯することを特徴とする電話装置。
【請求項２】
留守中の着信に対して、当該着信の発信先からのメッセージがあるときは、当該メッセージを録音するメッセージ録音手段を、有し、
前記点灯手段は、前記着信と関連付けられた数字ボタンを、前記メッセージ録音手段によりメッセージが録音されたかどうかに基づいて点灯することを特徴とする請求項１に記載の電話装置。
【請求項３】
前記点灯手段は、前記メッセージ録音手段によりメッセージが録音された着信に関連付けられた数字ボタンと、前記メッセージ録音手段によりメッセージが録音されなかった着信に関連付けられた数字ボタンと、を異なる色で点灯することを特徴とする請求項２に記載の電話装置。
【請求項４】
前記点灯手段は、前記メッセージ録音手段によりメッセージが録音された着信に関連付けられた数字ボタンを点滅し、前記メッセージ録音手段によりメッセージが録音されなかった着信に関連付けられた数字ボタンを点灯することを特徴とする請求項２に記載の電話装置。
【請求項５】
前記登録手段は、前記電話番号が重要であるのかどうかの情報も登録し、
前記点灯手段は、前記着信に関連付けられた数字ボタンを、当該着信が前記登録手段により重要であると登録されている電話番号からの着信であるのかどうかにも基づいて点灯することを特徴とする請求項１から４のいずれか１項に記載の電話装置。
【請求項６】
前記登録手段は、前記電話番号が重要であるのかどうかの情報も登録し、
前記点灯手段は、前記登録手段により重要であると登録されている電話番号からの着信に関連付けられた数字ボタンを点滅し、前記登録手段により重要であるとは登録されなかった電話番号からの着信に関連付けられた数字ボタンを点灯することを特徴とする請求項３に記載の電話装置。
【請求項７】
前記登録手段は、前記電話番号が重要であるのかどうかの情報も登録し、
前記点灯手段は、前記登録手段により重要であると登録されている電話番号からの着信に関連付けられた数字ボタンと、前記登録手段により重要であるとは登録されなかった電話番号からの着信に関連付けられた数字ボタンと、を異なる色で点灯することを特徴とする請求項４に記載の電話装置。
【請求項８】
電話番号を登録する登録ステップと、
留守中の着信に対して、当該着信の発信先電話番号が前記登録ステップにより登録された電話番号かどうかを照合する照合ステップと、
前記登録ステップにより登録された番号との照合が前記照合ステップにより取れた発信先からの着信とダイヤルキーが備えた複数の数字ボタンのうちの１つの数字ボタンとを関連付ける関連付けステップと、
前記複数の数字ボタンそれぞれを点灯する点灯ステップと、を有し、
前記点灯ステップは、前記着信と関連付けられた数字ボタンを点灯することを特徴とする表示方法。
【発明の詳細な説明】
【技術分野】
【０００１】
本発明は、留守中の電話を録音する機能を備えた電話装置及びその電話装置における表示方法に関する。
【背景技術】
【０００２】
電話装置は、様々な便利な機能を備えるようになってきている。例えば、頻繁にかける相手先の電話番号などをあらかじめ登録できる登録機能を備えた電話装置が一般的に使用されるようになってきている。また、着信時にその着信の発信先電話番号を取得することができる、いわゆるナンバーディスプレイ機能を備えた電話装置も一般的に使用されるようになってきている。この登録機能とナンバーディスプレイ機能を備えた電話装置であれば、着信時にその着信が誰からの着信であるかを容易に知ることが可能になる。
【０００３】
例えば、特許文献１は、着信時に、アンテナチューブを点灯させ、その着信の発信先電話番号が登録されている番号であるときと登録されている番号でないときとで、アンテナチューブを点灯する色を変える携帯電話を開示している。また、例えば、特許文献２は、着信時に、その着信の発信先電話番号が登録されているときは、その発信先の名前を表示する電話装置を開示している。また、特許文献２に開示されている電話装置は、登録されている番号からの着信に対して、発信先ごとに着信時の呼び出し音を変更することも可能である。
【０００４】
また、留守中にかかってきた電話を録音する、いわゆる留守電機能を備えた電話装置も一般的に使用されるようになってきている。通常、留守電機能により録音されたメッセージの件数などの情報は、電話装置が備えたＬＣＤ（液晶ディスプレイ）に表示させることにより確認されている。しかし、電話装置が備えたＬＣＤはカラーが表示できないものが多く、文字により情報の表示が行われる。このため、一目で素早く情報を確認することが困難であった。そこで、例えば、特許文献３は、押しボタン式電話装置、いわゆるプッシュホン方式の電話装置のダイヤルキーの数字ボタンを点灯させることにより録音されたメッセージ件数を確認できるようにする方法を開示している。特許文献３に開示された方法では、例えば、録音されたメッセージ数が５件であれば、ダイヤルキーのうちの「１」から「５」までの数字ボタンを点灯させ、利用者に「メッセージ件数が５件」であることを伝える。
【先行技術文献】
【特許文献】
【０００５】
【特許文献１】特開平１１−１０３３３４号公報
【特許文献２】特開平１１−１１２６５２号公報
【特許文献３】特開平８−３１７０４６号公報
【発明の概要】
【発明が解決しようとする課題】
【０００６】
しかしながら、録音されたメッセージはそれぞれ誰によるメッセージであるのかを確認するためには、録音されたメッセージを１件１件確認する必要があった。このため、例えば、重要な電話が録音されていることがわかっているときでも、何件目に録音されているかがすぐにはわからず、メッセージを再生するまでに時間がかかってしまうという問題がった。
【０００７】
そこで本発明は、上記問題点に鑑みてなされたもので、重要な相手からの録音メッセージを素早く選択することが可能な電話装置及び表示方法を提供することを目的とする。
【課題を解決するための手段】
【０００８】
上記課題を解決するため、本発明における電話装置は、電話番号を登録する登録手段と、留守中の着信に対して、当該着信の発信先電話番号が前記登録手段に登録されている電話番号かどうかを照合する照合手段と、複数の数字ボタンを備えており、電話番号の入力を受けるダイヤルキーと、前記登録手段に登録されている番号との照合が前記照合手段により取れた発信先からの着信と前記複数の数字ボタンのうちの１つの数字ボタンとを関連付ける関連付け手段と、前記複数の数字ボタンそれぞれを点灯する点灯手段と、を有し、前記点灯手段は、前記着信に関連付けられた数字ボタンを点灯することを特徴とする。
【０００９】
また、本発明における表示方法は、電話番号を登録する登録ステップと、留守中の着信に対して、当該着信の発信先電話番号が前記登録ステップにより登録された電話番号かどうかを照合する照合ステップと、前記登録ステップにより登録された番号との照合が前記照合ステップにより取れた発信先からの着信とダイヤルキーが備えた複数の数字ボタンのうちの１つの数字ボタンとを関連付ける関連付けステップと、前記複数の数字ボタンそれぞれを点灯する点灯ステップと、を有し、前記点灯ステップは、前記着信と関連付けられた数字ボタンを点灯することを特徴とする。
【発明の効果】
【００１０】
本発明により、重要な相手からの録音メッセージを素早く選択することが可能になる。
【図面の簡単な説明】
【００１１】
【図１】本発明の実施形態に係る電話装置の構成例を示す図である。
【図２】本発明の実施形態に係る電話装置の事前番号登録部における記憶の例を示す図である。
【図３】本発明の実施形態に係る電話装置の記憶部における記憶の例を示す図である。
【図４】本発明の実施形態に係る電話装置のダイヤルキーのボタンの構成例を示す図である。
【図５】本発明の実施形態に係る電話装置のダイヤルキーの数字ボタンの点灯の例を示す図である。
【図６】本発明の実施形態に係る電話装置の事前番号登録部における記憶の例を示す図である。
【図７】本発明の実施形態に係る電話装置のダイヤルキーのボタンの構成例を示す図である。
【図８】本発明の実施形態に係る電話装置のダイヤルキーの数字ボタンの点灯の例を示す図である。
【図９】本発明の実施形態に係る電話装置の事前番号登録部における記憶の例を示す図である。
【図１０】本発明の実施形態に係る電話装置のダイヤルキーのボタンの構成例を示す図である。
【図１１】本発明の実施形態に係る電話装置のダイヤルキーの数字ボタンの点灯の例を示す図である。
【図１２】本発明の実施形態に係る電話装置のダイヤルキーの数字ボタンの点灯の例を示す図である。
【図１３】本発明の実施形態に係る電話装置における処理動作を示す図である。
【図１４】本発明の実施形態に係る電話装置における処理動作を示す図である。
【発明を実施するための形態】
【００１２】
次に、本発明を実施するための形態について図面を参照して詳細に説明する。
【００１３】
＜電話装置１００の構成例＞
図１は、本発明の実施形態に係る電話装置１００の構成例を示す図である。本実施形態に係る電話装置１００は、着信部１０１と番号取得部１０２と、ＬＣＤ（液晶ディスプレイ）１０３と、事前番号登録部１０４と、メッセージ録音部１０５と、記録部１０６と、ダイヤルキー１０７と、を備えて構成される。
【００１４】
本実施形態に係る電話装置１００は、通常モードと留守電モードの２つのモードを備えている。通常モードは、いわゆる通常のモードであり、着信があったときに、呼び出し音を鳴らすなどをし、利用者に着信があったことを伝える。また、留守電モードは、着信があったときに、発信先に利用者が留守中であることを、メッセージを再生するなどをすることで伝え、発信先からのメッセージを録音するモードである。なお、留守電モードにおいて、着信がったときに、呼び出し音を所定の時間鳴らした後に、発信先に利用者が留守中であることを、メッセージを再生するなどをすることで伝え、発信先からのメッセージを録音するようにしても良い。
【００１５】
着信部１０１は、外部から着信信号を受け取る。番号取得部１０２は、着信信号を受け取るのと同時に着信信号の発信先電話番号を取得する。ＬＣＤ１０３は、発信先電話番号などの表示を行う。ここで、着信部１０１と番号取得部１０２の行う処理動作は、ナンバーディスプレイ機能を備えた通常の電話装置の行う処理動作で同様の処理動作であるとする。
【００１６】
事前番号登録部１０４は、事前に登録された電話番号などを記憶する。例えば、図２に示すように、電話番号、名前などを登録して記憶できるようにする。また、事前番号登録部１０４は、着信時に、番号取得部１０２により取得された発信先電話番号が、この事前に登録された電話番号のなかにあるのかどうかを照合する。つまり、事前番号登録部１０４は、事前に電話番号を登録して記憶する登録手段であり、この記憶された電話番号のなかに発信先電話番号が存在するかどうかを照合する照合手段である。
【００１７】
メッセージ録音部１０５は、留守電モードであるとの着信時に、その着信を識別するための識別番号として着信番号を付与する。そして、発信先からのメッセージがあったときには、発信先からのメッセージを録音する。この録音されたメッセージは着信番号で識別できるように記録する。メッセージ録音部１０５は、着信番号とその着信においてメッセージを録音したかどうかの情報を記録部１０６に送る。
【００１８】
記録部１０６は、事前番号登録部１０４による照合結果と、メッセージ録音部１０５から送られてきた着信番号などの情報とを紐付けし、ダイヤルキー１０７の数字ボタンを割り振り、記憶する。つまり、発信先の電話番号が事前登録されたかどうかの情報と、着信番号と、発信先のメッセージが録音されたかどうかの情報と、ダイヤルキー１０７の数字ボタンと、を関連付ける関連付け手段として機能する。このとき、関連付けられた項目は、例えば、図３に示すようなテーブルの形で記憶すると良い。このとき、図３に示すように、事前番号登録部１０４から電話番号、名前の情報を得るようにし、名前も記憶するようにすると良い。
【００１９】
ダイヤルキー１０７は、利用者が電話をかける際に電話番号をダイヤルするために使用する数字ボタンと記号ボタンとを有する。例えば、図４に示すように、０〜９まで数字を示す１０個の数字ボタンと＊（アスタリスク）、♯（番号記号）を示す記号ボタンとを有する。
【００２０】
また、ダイヤルキー１０７は、数字ボタンなどを点灯するＬＥＤ（発光ダイオード）などの点灯手段を備える。つまり、ダイヤルキー１０７の数字ボタンはそれぞれＬＥＤなどにより点灯や点滅するようになっている。このとき、ダイヤルキー１０７は、記憶部１０６に記憶された情報に基づいて点灯を行う。
【００２１】
例えば、記憶部１０６に図３のように留守電データが記憶されているときは、図５に示すようにダイヤルキー１０７の数字ボタンを点灯する。図５では、着信番号とダイヤルキー１０７の数字ボタンの数字とが関連付けられており、着信した件数が８件なので、「１」の数字ボタンから「８」の数字ボタンまでが点灯する。そして、登録された番号からの着信に関連付けられた数字ボタンは赤色に点灯するようにし、登録されていない番号からの着信に関連付けられた数字ボタンは緑色に点灯するようにする。つまり、登録された番号からの着信に関連付けられた数字ボタンと、登録されていない番号からの着信に関連付けられた数字ボタンと、で点灯する色を変えるようにする。また、メッセージが録音された番号に関連付けられた数字ボタンは点滅するようにする。図５では、着信番号６の着信は、「６」の数字ボタンが割り振られており、登録された番号からの着信であり、メッセージが録音された着信であるので、ダイヤルキー１０７の「６」の数字ボタンが赤色で点滅する。
【００２２】
このようにすることにより、一目で着信した件数がわかるようになる。また、着信した番号のうち、何件目の着信が登録された番号からの着信であるかが一目でわかるようになる。比較的重要な相手からの着信の有無を一目で知ることが可能になる。また、メッセージが録音された着信が何件目の着信であるかも一目でわかるようになる。よって、登録された番号からのメッセージが何件目の着信が何件目であったかがわかるようになる。つまり、比較的重要な相手からの録音メッセージを素早く選択することが可能になる。
【００２３】
また、例えば、事前番号登録部１０４は、電話番号などを登録する際に、例えば、図６に示すように、点灯させる色も登録して記憶するようにしても良い。そして、事前番号登録部１０４は、着信時に、この登録された色の情報も記憶部１０５に送るようにし、ダイヤルキー１０７は、この登録された色に従って数字ボタンを点灯するようにしても良い。このようにすることにより、誰からの着信かがよりわかりやすくなる。よって、重要な相手からの着信の有無を一目で知ることが可能になる。
【００２４】
また、本実施形態に係る電話装置１００は、着信に関連付けられて点灯している数字ボタンが押されたときに、その着信の発信先電話番号をＬＣＤに表示する。また、その着信にメッセージが録音されているときには、メッセージを再生する。また、その着信が登録された番号からのものであるときは、電話番号の代わりに、名前を表示するようにする。例えば、図３のように記憶部１０６に記憶されており、図４に示すようにダイヤルキー１０７の数字ボタンが点灯したときは、「６」のボタンを押すと、ＬＣＤに「Ｆ木Ｇ子」と名前が表示され、録音されたメッセージが再生される。
【００２５】
このようにすることにより、重要なメッセージを再生するのに、録音されたメッセージを１件１件確認する必要がなくなる。つまり、重要なメッセージを素早く再生することが可能になる。
【００２６】
また、記憶部１０５は、図７に示すように、登録された番号にだけダイヤルキー１０７の数字ボタンを割り振るようにし、つまり、図８に示すように、登録された番号に対する着信に対してのみ、数字ボタンを点灯するようにしても良い。図８では、メッセージが録音された着信に関連付けられた数字ボタンは赤色で点灯し、メッセージが録音されなかった着信に関連付けられた数字ボタンは緑色で点灯する。このようにすることにより、着信件数が多いときであっても、重要な相手からの着信を一目で確認できる。また、着信件数が多いときであっても、重要な相手からのメッセージを素早く再生することが可能になる。
【００２７】
このとき、図８に示すように、メッセージが録音された着信であるかどうかを、ボタンを点灯する色で区別するのではなく、例えば、メッセージが録音された着信に関連付けられた数字ボタンは点滅するようにして、メッセージが録音された着信であるのかどうかを区別できるようにしても良い。このようにすることにより、点灯するための色を少なくすることにできる。つまり、例えば、ボタンを点灯するためのＬＥＤとして単色のＬＥＤを用意すれば良くなる。よって、コストを抑えつつ、重要な相手からのメッセージを素早く再生することが可能になる。
【００２８】
また、例えば、事前番号登録部１０４は、電話番号などを登録する際に、図９に示すように、登録された番号が重要かどうかの情報も登録して記憶するようにしても良い。そして、この登録された番号が重要かどうかの情報も、記憶部１０６に送られ、図１０に示すように、記憶部１０６が記憶するようにしても良い。そして、このとき、ダイヤルキー１０６は、この番号が重要かどうかの情報にも基づき、点灯の仕方を決定するようにしても良い。例えば、図１１に示すように、重要な番号からの着信時に録音されたメッセージに対してのみ、数字ボタンを点灯するようにしても良い。そして、図１１に示すように、メッセージが録音された着信とメッセージが録音されなかった着信とは、数字ボタンを点灯する色を変えるか、点灯と点滅とで分けて表示するかにより、区別できるようにすれば良い。また、図１２に示すように、登録された番号に対しては、数字ボタンを割り振るようにし、例えば、重要な番号からの着信時に録音されたメッセージに対応する数字ボタンを点灯する色を変えることにして、重要でない登録された番号からのメッセージと区別できるようにしても良い。また、このときは、図１２に示すように、メッセージが録音された着信に関連付けられた数字ボタンを点滅させることにより、メッセージが録音された着信とメッセージが録音されなかった着信とを区別することができるようにできる。
【００２９】
このようにすることにより、重要な相手から着信があったことがより素早くすることが可能になる。また、より素早く重要な相手からのメッセージを再生することが可能になる。
【００３０】
＜電話装置１００の着信時における処理動作例＞
図１３は、本発明の実施形態に係る電話装置１００の着信時における処理動作を示す図である。まず、着信部１０１が着信信号を受け取る（Ｓ１０１）。番号取得部１０２は、着信信号を受け取るのと同時に発信先電話番号を取得する（Ｓ１０２）。そして、電話機の状態が通常モードであるのか、留守電モードであるのか、を判別する（Ｓ１０３）。通常モードであるならば（Ｓ１０４、Ｎｏ）、番号取得部１０２で取得された発信先電話番号がＬＣＤ１０３に表示する（Ｓ１０５）。通常モードでは、ステップＳ１０５の後に、呼び出し音を鳴らすなど、通常の電話装置と同様の処理動作が行われる。なお、ステップＳ１０５までに行われる処理動作は、ナンバーディスプレイ機能を備えた通常の電話装置と同様の処理動作である。
【００３１】
留守電モードならば（Ｓ１０４、Ｙｅｓ）、番号取得部１０２で取得された発信先電話番号を事前番号登録部１０４に送る（Ｓ１０６）。事前番号登録部１０３は、送られてきた発信先電話番号と事前に登録されている電話番号とを照合する（Ｓ１０７）。事前番号登録部１０４は、照合の結果と発信先電話番号とを記録部１０６に送る（Ｓ１０８）。この照合の結果には、発信先電話番号が事前番号登録部１０３に登録された番号であったかどうかが示されている。
【００３２】
留守電モードであるとき（Ｓ１０４、Ｙｅｓ）、ステップＳ１０６〜Ｓ１０８と同時に、回線が閉結して、メッセージ録音部１０５は、この着信に着信を識別するための着信番号を付与する（Ｓ１０９）。そして、発信先からのメッセージがあるときは（Ｓ１１０、Ｙｅｓ）、そのメッセージをメッセージ録音部１０５により録音する（Ｓ１１１）。そして、メッセージ録音部１０５は、着信番号とその着信に対してメッセージを録音したかどうかの情報を記録部１０６に送る（Ｓ１１２）。なお、上記に処理操作のステップＳ１０９の前に、呼び出し音を所定の時間鳴らし、その後に、留守であることを伝えるメッセージを伝えるようにしても良い。
【００３３】
記録部１０６は、事前番号登録部１０４から送られてきた情報と、メッセージ録音部１０５から送られてきた情報と、を紐付けし、ダイヤルキー１０７の数字ボタンを割り振り、記憶する（Ｓ１１３）。そして、割り振られたダイヤルキー１０７の数字ボタンを、事前番号登録部１０４から送られてきた情報と、メッセージ録音部１０５から送られてきた情報と、に基づいて点灯する（Ｓ１１４）。
【００３４】
＜電話装置１００の録音メッセージ再生時における処理動作＞
図１４は、本発明の実施形態に係る電話装置１００の録音メッセージ再生時における処理動作を示す図である。メッセージを聞くために、聞きたいメッセージに該当するダイヤルキー１０７の数字ボタンが押される（Ｓ２０１）。ダイヤルキー１０７の数字ボタンの押下情報が記録部１０６に送られる（Ｓ２０２）。記録部１０６は、押下されたダイヤルキー１０７の数字ボタンに割り振られた発信先電話番号もしくは発信先の名前をＬＣＤ１０３に表示し、同時に押下されたダイヤルキー１０７の数字ボタンに割り振られた着信番号のメッセージを再生する（Ｓ２０３）。
【００３５】
上述した実施形態における処理動作は、ハードウェア、または、ソフトウェア、あるいは、両者の複合構成によって実行することも可能である。
【００３６】
なお、ソフトウェアによる処理を実行する場合には、処理シーケンスを記録したプログラムが格納されているＲＯＭ（Read Only Memory）から、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００３７】
例えば、プログラムは、記録媒体としてのハードディスクやＲＯＭに予め記録しておくことが可能である。あるいは、プログラムは、フロッピー（登録商標）ディスク等の磁気ディスク、ＣＤ（Compact Disc）、ＤＶＤ(Digital Versatile Disc)等の光ディスク、ＭＯ（Magneto Optical）ディスク等の光磁気ディスクなどのリムーバブル記録媒体に、一時的、あるいは、永続的に格納（記録）しておくことが可能である。
【００３８】
このようなリムーバブル記録媒体は、いわゆるパッケージソフトウェアとして提供することが可能である。
【００３９】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００４０】
また、上記実施形態で説明した処理動作に従って時系列的に実行されるのみならず、処理を実行する装置の処理能力、あるいは、必要に応じて並列的にあるいは個別に実行するように構築することも可能である。
【００４１】
また、上記実施形態で説明したシステムは、複数の装置の論理的集合構成にしたり、各装置の機能を混在させたりするように構築することも可能である。
【００４２】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００４３】
また、本発明における電話装置は、留守中の着信に対して、当該着信の発信先からのメッセージがあるときは、当該メッセージを録音するメッセージ録音手段を、有し、前記点灯手段は、前記着信と関連付けられた数字ボタンを、前記メッセージ録音手段によりメッセージが録音されたかどうかに基づいて点灯するようにしても良い。
【００４４】
また、本発明における電話装置は、前記点灯手段は、前記メッセージ録音手段によりメッセージが録音された着信に関連付けられた数字ボタンと、前記メッセージ録音手段によりメッセージが録音されなかった着信に関連付けられた数字ボタンと、を異なる色で点灯するようにしても良い。
【００４５】
また、本発明における電話装置は、前記点灯手段は、前記メッセージ録音手段によりメッセージが録音された着信に関連付けられた数字ボタンを点滅し、前記メッセージ録音手段によりメッセージが録音されなかった着信に関連付けられた数字ボタンを点灯するようにしても良い。
【００４６】
また、本発明における電話装置は、前記登録手段は、前記電話番号が重要であるのかどうかの情報も登録し、前記点灯手段は、前記着信に関連付けられた数字ボタンを、当該着信が前記登録手段により重要であると登録されている電話番号からの着信であるのかどうかにも基づいて点灯するようにしても良い。
【００４７】
また、本発明における電話装置は、前記登録手段は、前記電話番号が重要であるのかどうかの情報も登録し、前記点灯手段は、前記登録手段により重要であると登録されている電話番号からの着信に関連付けられた数字ボタンを点滅し、前記登録手段により重要であるとは登録されなかった電話番号からの着信に関連付けられた数字ボタンを点灯するようにしても良い。
【００４８】
また、本発明における電話装置は、前記登録手段は、前記電話番号が重要であるのかどうかの情報も登録し、前記点灯手段は、前記登録手段により重要であると登録されている電話番号からの着信に関連付けられた数字ボタンと、前記登録手段により重要であるとは登録されなかった電話番号からの着信に関連付けられた数字ボタンと、を異なる色で点灯するようにしても良い。
【符号の説明】
【００４９】
１００    電話装置
１０１    着信部
１０２    番号取得部
１０３    ＬＣＤ
１０４    事前番号登録部
１０５    メッセージ録音部
１０６    記憶部
１０７    ダイヤルキー
【図１】
2011160093.tif 000003
【図２】
2011160093.tif 000004
【図３】
2011160093.tif 000005
【図４】
2011160093.tif 000006
【図５】
2011160093.tif 000007
【図６】
2011160093.tif 000008
【図７】
2011160093.tif 000009
【図８】
2011160093.tif 000010
【図９】
2011160093.tif 000011
【図１０】
2011160093.tif 000012
【図１１】
2011160093.tif 000013
【図１２】
2011160093.tif 000014
【図１３】
2011160093.tif 000015
【図１４】
2011160093.tif 000016